(57)【特許請求の範囲】
【請求項１】
溜水を貯め置く便器ボール部に新たな洗浄水を通水して、便器洗浄を行う水洗便器であって、前記ボール部上部のほぼ全周に亘って略水平方向に溝状に陥没形成した案内凹部と、前記ボール部の側方上部に装着固定され、前記案内凹部と連通して前記案内凹部に向けて前記洗浄水を噴出するリム噴出ノズルと、前記ボール部底部に形成された汚物溜まりとしての凹部に開口するゼット噴出口と、外部加圧給水源からの加圧洗浄水としての水道水を前記新たな洗浄水として導き入れ、その洗浄水を前記リム噴出ノズルに導く導水手段とを備え、前記リム噴出ノズルから噴出された前記洗浄水が、前記案内凹部に案内されながら前記ボール部のボール面上縁に沿って略水平方向に旋回流を起こし、前記ボール面上縁回りをほぼ全周に亘って周回し、また前記リム噴出ノズルとゼット噴出口の位置関係を、ゼット噴出口からの洗浄水噴出に伴う溜水旋回とリム噴出ノズルからの洗浄水噴出に伴う溜水旋回とが同方向となるようにしたことを特徴とする水洗便器。
【請求項２】
請求項１に記載の水洗便器において、前記リム噴出ノズル及びゼット噴出口への通水の切替を行うバルブユニットを備えたことを特徴とする水洗便器。
【発明の詳細な説明】
【技術分野】
【０００１】
本発明は、溜水を貯め置く便器ボール部に新たな洗浄水を通水してこれを洗浄する水洗便器に関する。
【背景技術】
【０００２】
便器ボール部に洗浄水を通水してこれを洗浄する方式には種々のものがあり、便器ボール部の上縁に設けた中空のリムから洗浄水を通水方式が広く普及している。この方式では、中空リムを通水路とし、リム下端に点在配設した穴やリム下端に亘ってボール部を取り囲むよう形成したＵ字状の穴から、ほぼ垂直に洗浄水を噴出させている。
【０００３】
また、ボール面上縁から洗浄水を噴出する他の方式も提案されている（特許文献１）。
【特許文献１】国際公開ＷＯ９８／１６６９６号公報
【発明の開示】
【発明が解決しようとする課題】
【０００４】
上記した従来の洗浄方式では、新たな洗浄水をタンクに予め貯留し、タンク内の洗浄水をリム通水路に給水することが行われている。洗浄水給水には、このような貯留タンクを用いずに水道管等から直接行うこともなされている。しかし、この直接給水は、以下に説明する理由から、ボール部上縁からの洗浄水噴出方式に適用されるに至らないでいる。
【０００５】
リム通水路に水道管等から洗浄水を直接給水すると、リム下端からは、洗浄水がほぼ垂直に水道水元圧を持って勢いよく噴出される。この噴出洗浄水は、ボール部表面に当たって即座に溜水に達するので、ボール部表面或いは溜水水面との衝突により洗浄水がボール外部にまで飛散したりすることがあった。また、洗浄水の衝突に伴う音が大きくなるという問題があった。このような問題点が存在するため、水道管等からの直接給水をボール部上縁からの洗浄水噴出方式に適用することは、水洗便器製造の上で、従来からなんら想定されないでいるのが現状であった。
【０００６】
ところで、特許文献１で提案されるボール面上縁から洗浄水を噴出する他の方式も、上記した理由により、依然として貯留タンクを用いることしかなされていなかった。
【課題を解決するための手段】
【０００７】
本発明は、上記した問題点を解決するためになされ、便器ボール部に洗浄水を通水して便器を洗浄する場合の機能改善を図ることを目的とする。
【０００８】
上記した課題を解決するため、本発明は、溜水を貯め置く便器ボール部に新たな洗浄水を通水して、便器洗浄を行う水洗便器であって、前記ボール部上部のほぼ全周に亘って略水平方向に溝状に陥没形成した案内凹部と、前記ボール部の側方上部に装着固定され、前記案内凹部と連通して前記案内凹部に向けて前記洗浄水を噴出するリム噴出ノズルと、外部加圧給水源からの加圧洗浄水を前記新たな洗浄水として導き入れ、その洗浄水を前記リム噴出ノズルに導く導水手段とを備え、前記リム噴出ノズルから噴出された前記洗浄水が、前記案内凹部に案内されながら前記ボール部のボール面上縁に沿って略水平方向に旋回流を起こし、前記ボール面上縁回りをほぼ全周に亘って周回する構成とした。
【０００９】
前記リム部の形状は、リム噴出ノズルを覆うようにオーバーハングすることが好ましい。
【００１０】
リム噴出ノズルから噴出される洗浄水・・・特に、このリム噴出ノズルには管路部材で加圧洗浄水を導けば、噴出方向の安定化や略水平方向の旋回の安定化、洗浄水の噴出速度等の噴出形状の安定化、加圧洗浄水の経路形成の簡略化、洗浄水経路の経路面積の均一化浄等により、より高い洗浄能力を発揮できる。
【００１１】
ここでいう加圧給水源は、水頭圧が約２５０ｍｍ程度の便器載置型の洗浄水貯留タンクでは得られない給水圧（元圧）を呈するものの総称を意味する。よって、本発明の加圧給水源は、水道管等の加圧給水管の他、家屋屋上・ビル屋上等のように便器載置型に比して大きな水頭圧を持って洗浄水給水が可能なものを含む。
【００１２】
上記の構成を有する本発明の水洗便器は、以下の態様を採ることもできる。即ち、前記リム噴出ノズルを、前記ボール面上縁部に複数用意し、前記導水手段を、複数の前記リム噴出ノズルにそれぞれ前記加圧洗浄水を導くようにすることができる。こうすれば、それぞれのリム噴出ノズルから噴出された加圧洗浄水が、その旋回の過程で高いエネルギでもってボール面洗浄を行うので、洗浄能力をより一層高めることができる。この場合、各リム噴出ノズルは、同一方向の旋回挙動を起こすような場合の他、逆方向の旋回挙動を起こすように用意されたものであっても良い。
【００１３】
また、便器ボール部からの排水管路として、サイホントラップ管路を備えるものとし、更に、このサイホントラップ管路への前記溜水の流入を前記リム噴出ノズルからの洗浄水噴出と独立して起こすよう、前記便器ボール部に新たな洗浄水を通水するボール部通水手段を有するものとすることもできる。こうすれば、ボール部通水手段による便器ボール部への洗浄水通水により、サイホントラップ管路への溜水流入が独自に起きるので、サイホントラップ管路への洗浄水吸込の確実化、延いてはこの洗浄水吸込によるサイホントラップ管路内の速やかな洗浄水満水化を図ることができる。よって、サイホントラップ管路によるサイホン作用の誘発を早め、溜水および溜水に混在或いは沈殿する汚物の排出効率を高めることができる。なお、溜水に浮遊する汚物は、旋回挙動を起こした洗浄水が溜水に達することで、溜水に混在状態とされる。
【００１４】
このボール部通水手段を、サイホントラップ管路の管路入口に向けた洗浄水の流れを起こすように洗浄水通水を行ったり、溜水水面より低い位置から洗浄水を便器ボール部に通水するもの、或いは、溜水にリム噴出ノズルからの噴出洗浄水の旋回向きと同じ向きの旋回を起こすよう洗浄水通水を行うものとすることができる。これらのようにすれば、上記したサイホントラップ管路内の速やかな洗浄水満水化を通したサイホン作用の誘発促進に有益である。特に、溜水水面より低い位置からの洗浄水通水や溜水に上記の旋回を起こすような洗浄水通水を行うものでは、溜水に混在或いは沈殿する汚物を直接トラップ管路内に押し込むことができるので、これら汚物の排出効率をより高めることができる。
【００１５】
また、このボール部通水手段を、加圧給水源からの加圧洗浄水を便器ボール部に通水するものともできる。こうすれば、高い加圧給水源元圧の洗浄水通水により、サイホントラップ管路内の洗浄水満水化を通したサイホン作用の誘発促進により有益であると共に、溜水に混在或いは沈殿する汚物の排出効率をより一層向上させることができる。また、ボール部通水手段と導水手段の給水源を共通のものとできるので、現場施工作業、即ちボール部通水手段と導水手段に対しての給水源からの給水経路接続作業の簡略化や管路構成の簡略化を図ることができる。勿論、給水源を異なるものとすることもでき、ボール部通水手段を便器載置の洗浄水タンクから給水を受けるものとしても良い。こうすれば、地域的な都合で加圧給水源の流量が少なく導水手段にしか加圧洗浄水を給水できないような場合であっても、ボール部通水手段に支障なく給水できる。よって、本発明の水洗便器を設置可能な地域を拡大できる。
【００１６】
このようにボール部通水手段から加圧洗浄水を便器ボール部に通水するに当たり、ボール部通水手段を経た加圧洗浄水通水と、導水手段を経た加圧洗浄水のリム噴出ノズルへの通水とを制御する制御手段を有するものとすることができる。そして、ボール部通水手段を導水手段から分岐通水するものとし、その分岐箇所に制御手段を配設したり、この制御手段を、導水手段を経た加圧洗浄水通水とボール部通水手段を経た加圧洗浄水通水とをこの順に切換制御するものとしたりできる。このようにすれば、導水手段を経た加圧洗浄水通水とボール部通水手段を経た加圧洗浄水通水の制御、例えば両洗浄水通水の順次切換により、両洗浄水通水による上記した効果を相乗的に発揮することができる。
【００１７】
また、便器洗浄に伴い便器外部に排出される排出洗浄水総量を、約７リットル以下とすれば、節水に対する要求を満たすことができる。このように、排出洗浄水総量を規制しても、上記した旋回を伴う導水手段による加圧洗浄水通水と、サイホン作用誘発に寄与するボール部通水手段による加圧洗浄水通水とを行うことから、既存便器と同程度以上の洗浄能力を確保できる。なお、排出洗浄水総量規制は両洗浄水通水による総通水量を規制することになるので、両洗浄水通水の総通水量規制を通して、排出洗浄水総量を上記のように規制できる。
【発明の効果】
【００１８】
リム噴出ノズルからの洗浄水は、ボール面において滑るように旋回しつつ移動して、ボール部の溜水に斜めに合流し、この溜水に旋回力を効率よく付与する。この結果、ボール部内の溜水は旋回流となって排出口から排出され、溜水および溜水中の汚物の排出効果が高まる。
【００１９】
また、リム部の形状をリム噴出ノズルを覆うようにオーバーハングさせると、リム噴出ノズルを見え難くでき、見栄えを向上できる。また、リム部のオーバーハングにより、噴出洗浄水が不用意にボール部外側に飛び出さないようにできる。
【発明を実施するための最良の形態】
【００２０】
以上説明した本発明の構成及び作用を一層明らかにするために、以下本発明の水洗便器について、その実施の形態を説明する。図１は本発明の実施例であるサイホンゼット式の便器１１０をその上面の一部を破断して示す説明図であり、図２はこの便器１１０の概略縦断面を図１の２−２線の折れ線に沿って示す説明図である。図３は、図１における３−３線概略断面図である。このサイホンゼット式の便器１１０は、洗浄に伴って、後述するゼット噴出口１２２からの洗浄水噴出とボール面上縁における洗浄水噴出を行う。以下、便器１１０の各部について、図１ないし図３を参照しつつ説明する。
【００２１】
図１および図２に示すように、便器１１０は、汚物を受けるボール部１２０を備える。ボール部１２０は、その底部に汚物溜りとしての凹部１２６を備え、当該凹部の上部周壁は、便器１１０の非洗浄時でも溜水ＲＷと接する覆水面１２３と、便器１１０の非洗浄時には溜水ＲＷと接しない露出面１２４とされている。
【００２２】
図１、図３に示すように、ゼット噴出口１２２は、凹部１２６を取り囲むボール部壁面に設けられており、後述のゼット給水管１４６が水密に接続されている。ゼット給水管１４６の接続に際しては、ブッシュ等が用いられ、ボール部外側からの管路接続に特段の支障はない。なお、このゼット噴出口１２２は、凹部１２６に対して左側に位置し、リム噴出ノズル１４４と同じ側に位置する。
【００２３】
便器１１０の内部には、ボール部１２０に洗浄水を供給する２系統の洗浄水通水系と、ボール部１２０内の汚物を排水立ち上げ管１９０に向けて排出するための排出管路として、サイホントラップ管路１３０が設けられている。
【００２４】
サイホントラップ管路１３０は、凹部１２６と排出口１２５を介して連通した管路を形成する。サイホントラップ管路１３０は、排出口１２５から斜め上方向に向けて湾曲する接続路１３１と、この接続路１３１の湾曲方向に延出した後、横方向へ湾曲する上昇路１３２と、これに続いて横方向から下方向に湾曲する下降路１３３とを有する。
【００２５】
これらの流路は、この流路形状を石膏型や樹脂型に形取ることにより、陶器である便器１１０と一体に成形されるが、便器１１０とは別の部材で流路を形成することも可能である。例えば、これらの全部または一部の流路を、樹脂等の他の部材で成形し、排出口１２５に接続する構成としてもよい。
【００２６】
下降路１３３の終端は、樹脂製の排水ソケット１７０を介して、建築側の壁や床に設けられた排水立ち上げ管１９０に接続される。この場合、排水ソケット１７０の下端開口がサイホントラップ管路１３０の末端排水口となる。
【００２７】
サイホントラップ管路１３０の上昇路１３２から下降路１３３にかけての屈曲した部分（以下、屈曲部という）が排出口１２５からの流入洗浄水で、満水状態になると、下降路１３３内先端と溜水のボール部１２０側との間に圧力差が生じて下方向への引き込み力が生じる。この引き込み力により、屈曲部よりも低い位置にある溜水が、汚物とともに一気に排水立ち上げ管１９０に導かれる。こうしてサイホン作用が誘発される。
【００２８】
次に、洗浄水通水系について説明する。便器１１０の後部は、上方に隆起した中空の隆起部１１２とされている。この隆起部１１２には蓋１７が装着され、隆起部内部には、バルブユニット１１５が配設されている。バルブユニット１１５は、図示しない加圧給水源、例えば水道管から分岐した一次側給水管１１６と接続されており、水道水の給水を受ける。バルブユニット１１５は、管路の開閉を経て下流への洗浄水の通水制御を行う開閉弁機構と、上記のゼット給水管１４６への通水と後述のリム給水管１４３への通水を切換制御する切換弁機構とを内蔵する。一次側給水管１１６は、バルブユニット１１５の開閉弁機構に接続されている。
【００２９】
ここで、バルブユニット１１５における弁機構動作について簡単に説明する。バルブユニット１１５は、蓋１７に設けられた洗浄ボタン１６が操作されると、管路を開放して、水道水をその有する圧力で下流に通水し、管路を閉鎖して通水を停止する。バルブユニット１１５は、開閉弁機構が管路開放にある間において、その通水先をゼット給水管１４６とリム給水管１４３のいずれかに切り換える。よって、バルブユニット１１５における管路開放時間を制御することで、サイホントラップ管路１３０から便器外部に排出される洗浄水量（排出洗浄水量）を約５〜７リットルに制限している。本実施例では大便洗浄時にあって約６リットルとなるよう設定されている。なお、バルブユニット１１５は種々の構造を採ることができ、機械駆動式の開閉弁と切換弁を用いた構成としたり、電磁式の開閉弁と切換弁を制御装置からの電気信号（オン・オフ信号）により駆動制御する構成を採ることができる。
【００３０】
上記した排水洗浄水量は、排泄された大便を便器から搬送排出して便器洗浄を図るときのものをいう。本実施例のように図１等に示す水洗便器は、大小便の用に共用可能であるので、大便洗浄時と小便洗浄時で洗浄水量を大小設定することもできる。この洗浄水量設定に際しては、大便洗浄では固形物である汚物の搬送排出を要し小便時には固形物がないことから、大便洗浄時の洗浄水量の方が当然多くなる。つまり、小便洗浄は大便洗浄時の設定洗浄水量でも実施可能であるものの、大便洗浄は小便洗浄時の設定洗浄水量では水量不足となる。よって、便器洗浄を大小便に拘わらず確実に実行できる洗浄水量を設定するには、大便洗浄時の際の洗浄水量を決定し、この洗浄水量に対応した管路開放時間とすればよい。そして、便器洗浄のための操作ボタンや操作ハンドルの操作方向を大小便で変更するようにしておいて、小便洗浄時には、上記のように定めた設定洗浄水量（排水洗浄水量）より少量の洗浄水量となるよう管路開閉時間を決定すればよい。
【００３１】
また、本実施例では、バルブユニット１１５は、管路開放の間における切換弁機構による通水先切換を、次のようにした。洗浄ボタンの操作後は、まず、リム給水管１４３に洗浄水（水道水）を所定時間通水（初期通水）する。その後、通水先をゼット給水管１４６に切り換え、ゼット給水管１４６に洗浄水を所定時間通水する。次いで、通水先を再びリム給水管１４３に切り換え、リム給水管１４３に洗浄水（水道水）を所定時間通水（終期通水）する。これらの通水の総時間が上記した管路開閉時間であり、それぞれの通水時における通水時間は予め設定されている。なお、上記したリム給水管１４３を用いた終期通水は、次回以降の用便に備えて、ボール部１２０に所定量の溜水ＲＷを貯留するためのものである。
【００３２】
上記のバルブユニット１１５には、その有する切換弁機構に対して、ゼット給水管１４６とリム給水管１４３が接続されている。一次側給水管１１６とリム給水管１４３を外部の水道管からの洗浄水（水道水）を便器１１０に導き入れる管路とすると、ゼット給水管１４６は、当該管路から分岐したものといえ、その分岐箇所にバルブユニット１１５が配設されていることになる。
【００３３】
リム給水管１４３は、ボール部１２０をその上端で取り囲むリム部１２１の基部内側に洗浄水を導く。図４はリム給水管１４３の管路構成とその固定の様子を説明するための説明図、図５は図４における５−５線断面図である。この図４に示すように、リム給水管１４３は、バルブユニット１１５に接続される直管状のバルブ側管路部１４３ａと、ボール部１２０に固定されるボール側管路部１４３ｂと両管路部を接続する屈曲管路部１４３ｃに分割されている。バルブ側管路部１４３ａとボール側管路部１４３ｂは、樹脂或いは金属製の管路材で形成され、屈曲管路部１４３ｃは、耐水性、耐久性に富む弾性材料（例えば、ゴムやエラストマー或いは軟質樹脂材等）で形成され、可撓性を発揮する。ボール側管路部１４３ｂは、管路途中に、管路断面を４分割し、通過する洗浄水の流れを整流する整流板１４３ｄを有する。
【００３４】
ここで、リム給水管１４３の便器組み込みの様子について説明する。まず、バルブ側管路部１４３ａと屈曲管路部１４３ｃとボール側管路部１４３ｂを準備し、この順に水密に接着剤等で接着する。こうすると、屈曲管路部１４３ｃで屈曲自在なリム給水管１４３となる。このリム給水管１４３のバルブ側管路部１４３ａを、バルブユニット１１５に固定し、ボール側管路部１４３ｂを隆起部１１２の底部開口１１２ａに入れ込み、管路部先端を、リム部１２１の基部壁面に空けられた貫通孔１２０ａに差し込む。こうすると、リム給水管１４３は、図１、図２並びに図４に示すように、屈曲管路部１４３ｃで屈曲した経路を形成する。次いで、ボール側管路部１４３ｂの鍔部１４３ｅと上記基部壁面との間にシール部材１４３ｆを介在させて、ボール側管路部１４３ｂ先端ネジ部にリム噴出ノズル１４４を簿部面側から螺合する。このリム噴出ノズル１４４の螺合により、リム給水管１４３はその両端で固定され、バルブユニット１１５からの洗浄水をリム噴出ノズル１４４に導く。
【００３５】
このリム噴出ノズル１４４が装着固定される貫通孔１２０ａは、ボール部１２０に対して左側上部に位置し、ボール部１２０のボール面（詳しくは露出面１２４）上縁に沿って略水平方向に溝状に陥没形成された案内凹部１２４ａに連通するよう形成されている。リム噴出ノズル１４４は、この貫通孔１２０ａに固定されていることから、そのノズル開口を案内凹部１２４ａに向けることになる。よって、リム噴出ノズル１４４から噴出された洗浄水（以下、このようにして噴出された洗浄水をリムショット洗浄水ＲＳという）の挙動は次のようになる。図６はリムショット洗浄水の挙動を説明するための説明図である。
【００３６】
図示するように、リムショット洗浄水ＲＳは、ボール部１２０の案内凹部１２４ａに案内されながらボール面上縁部に沿って略水平方向に旋回を起こし、ボール面上縁回りをほぼ全周に亘って周回する。その後、リムショット洗浄水ＲＳは、旋回しつつ露出面１２４に沿って伝わり流れて凹部１２６の溜水ＲＷに到達すると共に、旋回流速度の低下に伴い、各所でこの旋回流から分岐した流れとなって露出面１２４に沿って伝わり落ちる。なお、上記した案内凹部１２４ａの陥没形状は、図２や図３に示した形状に限定されるものではなく、この案内凹部１２４ａに案内されながら旋回する洗浄水がボール面上縁回りをほぼ全周に亘って周回しつつ露出面１２４に沿って伝わり流れる形状であればよい。また、上記の旋回流から分岐流は旋回流の速度低下に伴うものであることから、リム噴出ノズル１４４からの洗浄水噴出速度（初速）により、分岐流の起き方は定まる。
【００３７】
このような旋回挙動を起こすリムショット洗浄水ＲＳは、一次側給水管１１６からバルブユニット１１５を経て給水された水道水に他ならない。よって、リムショット洗浄水ＲＳは、水道管元圧を持って上記の旋回挙動を起こすので、その旋回の過程でボール面表面を高いエネルギで洗浄する。こうした便器洗浄（ボール面洗浄）により、高い洗浄能力を発揮できる。
【００３８】
本実施例では、水道水元圧を有する水道水を、略均一管路径のリム給水管１４３でリム噴出ノズル１４４に導いて、このリム噴出ノズル１４４からの噴出洗浄水をリムショット洗浄水ＲＳとする。従って、リム給水管１４３によりリム噴出ノズル１４４へは安定した流れで洗浄水を通水できること、洗浄水噴出に際しては、リム噴出ノズル１４４により、噴出方向の安定化や洗浄水の噴出速度等の噴出状況の安定化等を図れることから、噴出後のリムショット洗浄水ＲＳの上記した略水平方向の旋回挙動を安定化させることができる。これらのことから、リムショット洗浄水ＲＳの旋回挙動に伴う洗浄能力をより高めることができる。
【００３９】
こうしてリムショット洗浄水ＲＳは、ボール面において滑るように旋回しつつ移動して、ボール部の溜水ＲＷに斜めに合流し、この溜水ＲＷに反時計廻り方向の旋回力を効率よく付与する。この結果、ボール部１２０内の溜水ＲＷは左回りの旋回流となって排出口１２５から排出される。このように、リムショット洗浄水で溜水に旋回を起こすので、溜水および溜水中の汚物の排出効果が高まる。
【００４０】
リム給水管１４３を通水する洗浄水は、整流板１４３ｄにより整流されてリム噴出ノズル１４４に達し、当該ノズルから噴出される。よって、流れが整った状態でリム噴出ノズル１４４から洗浄水を噴出できるので、また、ノズルによっても噴出方向等の噴出状態を安定化させるので、噴出後の上記の洗浄水挙動を安定して起こすことができる。
【００４１】
この整流板１４３ｄより上流側のリム給水管１４３管路は、図４に示すように、リム噴出ノズル１４４（詳しくは整流板１４３ｄ）に向けて傾斜した給水経路となるので、リム噴出ノズル１４４の側から不用意に洗浄水が逆流しないようにできる。リム噴出ノズル１４４は、ボール面上端のリム部１２１の基部に位置し、このリム部１２１はリム噴出ノズル１４４を覆うようにオーバーハングしている。よって、このリム部１２１によりリム噴出ノズル１４４をその上方から見え難くでき、見栄えを向上できる。また、リム噴出ノズル１４４周辺のリム部１２１のオーバーハングにより、噴出洗浄水が不用意にボール部外側に飛び出さないようにできる。
【００４２】
本実施例では、リム噴出ノズル１４４をリム給水管１４３先端に固定するようにしたが、リム給水管１４３先端開口或いはボール壁面の貫通孔１２０ａを洗浄水噴出口とすることもできる。こうする場合には、貫通孔１２０ａにブッシュ等を介して、リム給水管１４３を直接固定すればよい。
【００４３】
次に、上記のリム給水管１４３以外に洗浄水をボール部１２０に通水するゼット給水管１４６について説明する。このゼット給水管１４６は、図１ないし図３に示すように、バルブユニット１１５の切換機構から既述した凹部１２６のゼット噴出口１２２に至るまでの給水経路を形成する。よって、ゼット給水管１４６は、バルブユニット１１５からの洗浄水を、リム噴出ノズル１４４からの洗浄水噴出とは独立に、凹部１２６に導く。
【００４４】
ここで、ゼット噴出口１２２からの洗浄水噴出に伴って凹部１２６に起きる溜水ＲＷの挙動について説明する。図７は凹部１２６の溜水挙動を説明するために凹部１２６周辺を模式的に表した説明図である。図示するように、ゼット噴出口１２２は、ボール部１２０底部の凹部１２６に対して開口していることから、ボール部１２０へは、溜水ＲＷの水面よりも低い位置からゼット噴出口１２２により洗浄水が噴出される。この洗浄水噴出は、図７に模式的に示すように側面で区切られた領域の凹部１２６で起きる。よって、ゼット噴出口１２２から噴出された洗浄水（以下、この噴出洗浄水をボール部噴出洗浄水ＢＳという）は、図示するように凹部１２６において旋回挙動を起こし、凹部１２６の溜水ＲＷと共に旋回する。この洗浄水挙動は、既述したリム噴出ノズル１４４からのリムショット洗浄水ＲＳとは別個に起き、凹部１２６に連通するサイホントラップ管路１３０への溜水ＲＷとボール部噴出洗浄水ＢＳの流入を引き起こす。
【００４５】
本実施例では、バルブユニット１１５の切換弁機構による通水切換を、既述したように、リム給水管１４３（初期通水）→ゼット給水管１４６→リム給水管１４３（終期通水）の順に行う。よって、ゼット給水管１４６を経た上記のボール部噴出洗浄水ＢＳは、初期通水時のリムショット洗浄水ＲＳにより溜水ＲＷに旋回が起きた後になされる。しかも、ボール部噴出洗浄水ＢＳに伴う溜水旋回とリムショット洗浄水ＲＳに伴う溜水旋回は、既述したリム噴出ノズル１４４とゼット噴出口１２２の位置関係から、同じ向きのものとなる。このため、リムショット洗浄水ＲＳに伴う旋回が起きた状態の溜水ＲＷに、同じ向きの旋回をボール部噴出洗浄水ＢＳにより起こすことになる。よって、ボール部噴出洗浄水ＢＳにより、溜水旋回は増幅された状態となるので、サイホントラップ管路１３０への洗浄水流入は促進されることになる。
【００４６】
なお、リム噴出ノズル１４４およびリム給水管１４３を図１における右方に形成するようにしてもよい。また、ゼット給水管１４６を、管路部材で形成するようにしてゼット噴出口１２２に接続したが、次のようにすることもできる。凹部１２６に連通する経路（ゼット経路）をボール部外側に便器と一体に便器素地の際に形成し、焼成する。そして、バルブユニット１１５に接続したゼット給水管１４６を上記のゼット経路に差し込み、ゼット経路の開口からボール部噴出洗浄水ＢＳを噴出するようにしても良い。
【００４７】
以上説明した本実施例の便器１１０によれば、初期通水により、リム噴出ノズル１４４から洗浄水を噴出してボール面上縁部の案内凹部１２４ａに沿った略水平方向の洗浄水旋回を起こす。しかも、既述したように、この洗浄水旋回を、水道管元圧を有する水道水の噴出で起こす。このため、その旋回の過程でボール面表面を高いエネルギで洗浄する。こうした便器洗浄（ボール面洗浄）により、高い洗浄能力を発揮できる。
【００４８】
更に、旋回挙動を採ったことで、その洗浄水（リムショット洗浄水ＲＳと分岐洗浄水）をボール部の溜水ＲＷに斜めに合流させる。このため、リム噴出ノズル１４４からの洗浄水噴出を、便器載置式の洗浄水タンクを用いた場合より高い圧力（水道水元圧）の洗浄水で行ったとしても、溜水への洗浄水衝突による洗浄水の飛散や衝突に伴う音の発生を確実に抑制できる。
【００４９】
加えて、初期通水後には、ゼット噴出口１２２から洗浄水を噴出して溜水ＲＷに旋回挙動を起こし、サイホントラップ管路１３０の排出口１２５への洗浄水吸込を促進させる。このため、サイホントラップ管路１３０を速やかに満水化でき、サイホントラップ管路１３０によるサイホン作用の早期誘発を通して、溜水ＲＷ並びに汚物の排出効率を高めることができる。しかも、ゼット噴出口１２２からの洗浄水噴出に伴う溜水旋回を、リム噴出ノズル１４４からの洗浄水噴出に伴う溜水旋回と同方向のものとするので、溜水旋回を増幅する。よって、排出口１２５への洗浄水吸込をより一層促進させることができ、これにより、汚物排出効率をより一層高めることができる。
【００５０】
次に、他の実施例について説明する。図８は第２実施例の便器１１０Ａをその上面の一部を破断して示す説明図であり、図９はこの便器１１０Ａの概略縦断面を図８の９−９線の折れ線に沿って示す説明図である。なお、以下の説明に当たっては、上記の実施例と同一の作用を果たす部材については、上記実施例で用いた符号をそのまま用いることとする。
【００５１】
図示するように、第２実施例の便器１１０Ａは、図８に示すように、リム部１２１に、ボール部左側後方からボール部先端部の右方側に亘るリム通水路１２１ａを有する。このリム通水路１２１ａは、便器製造時にリム部１２１を図示する範囲に亘って中空形状とすることで形成される。また、このリム通水路１２１ａには、ボール部先端においてリム吐水孔１２１ｂが設けられている。このリム吐水孔１２１ｂは、図９に示すように、リム基部付近の露出面１２４に向かって洗浄水噴出ができるよう形成されている。
【００５２】
便器１１０Ａは、既述したリムショット洗浄水ＲＳを行うためのリム給水管１４３、リム噴出ノズル１４４等を有する点で、上記の実施例と共通し、リム通水路１２１ａへの通水のため、第２リム給水管１５０を有する。第２リム給水管１５０は、樹脂等から形成された可撓性の管路部材で形成され、バルブユニット１１５の切換弁機構に接続される。この場合、リム通水路１２１ａへの接続に際しては、ブッシュ１５１等を用いて、リム部１２１の貫通孔１２１ｃに水密に接続される。なお、バルブユニット１１５から貫通孔１２１ｃまでの第２リム給水管１５０配設は、便器内部での作業となるので、適宜なジグが用いられる。
【００５３】
上記した第２実施例の便器１１０Ａにあっても、既述したように、バルブユニット１１５によって、リム給水管１４３を用いた初期通水が実行される。その後は、通水先を第２リム給水管１５０に切り換え、再度、通水先をリム給水管１４３に切り換えて終期通水が実行される。このようにして第２リム給水管１５０に通水がされた場合は、洗浄水（水道水）は、第２リム給水管１５０からリム通水路１２１ａ内に通水され、ボール部先端のリム吐水孔１２１ｂから噴出される。こうしてリム吐水孔１２１ｂから噴出された洗浄水は、図中に白抜き矢印ＲＢＳで示すように、ボール部１２０のボール面に沿って流れ落ち、リム吐水孔１２１ｂと対向する位置にある排出口１２５に流入する。その際に、溜水ＲＷ並びに汚物を、排出口１２５からサイホントラップ管路１３０に直接押し込む。よって、この第２実施例によっても、リム噴出ノズル１４４からの洗浄水噴出に伴う洗浄能力向上と合わせて、汚物の排出効率を高めることができる。なお、第２実施例の便器１１０Ａでは、水道水元圧で洗浄水をボール面に噴出する。しかし、この噴出は、便器洗浄（ボール面洗浄）がリム噴出ノズル１４４からの噴出洗浄水で実行された後のものであり、リム吐水孔１２１ｂからの噴出時間は、全洗浄時間のほぼ１／３から１／４程度の時間でしかない。よって、リム吐水孔１２１ｂからの噴出洗浄水のボール面衝突による洗浄水の飛散や衝突に伴う音は、全洗浄期間に亘ってボール面に向けて洗浄水を噴出するものに比べて、抑制され、実用上問題はない。
【００５４】
図１０は第３実施例の便器１１０Ｂをその上面の一部を破断して示す説明図である。この第３実施例は、便器洗浄の総ての洗浄水をリム噴出ノズル１４４からの噴出洗浄水で賄うものである。よって、便器１１０Ｂは、図示するように、リム給水管１４３とリム噴出ノズル１４４を備えるに過ぎず、バルブユニット１１５から全洗浄期間に亘ってリム給水管１４３に洗浄水（水道水）を通水する。こうしても、上記した旋回挙動を起こす洗浄水（リムショット洗浄水ＲＳ）によって、高い洗浄能力を発揮できると共に、洗浄水飛散や音の発生を抑制できる。
【００５５】
図１１は第４実施例の便器１１０Ｃの概略縦断面を示す説明図である。この第４実施例は、いわゆる洗い落とし式の便器に本発明を適用したものである。この便器１１０Ｃは、便器前方側に洗浄水落下通路１２７を備え、凹部１２６から溢れ出た溜水並びに汚物を洗浄水給水に伴い便器外部に排出する。この便器１１０Ｃにあっても、上記した旋回挙動を起こす洗浄水噴出を行うため、上記の第３実施例と同様、リム給水管１４３とリム噴出ノズル１４４を備え、バルブユニット１１５から全洗浄期間に亘ってリム給水管１４３に洗浄水（水道水）を通水する。こうしても、上記した旋回挙動を起こす洗浄水（リムショット洗浄水ＲＳ）によって、高い洗浄能力を発揮できると共に、洗浄水飛散や音の発生を抑制できる。また、リムショット洗浄水ＲＳによる洗浄水給水であっても、凹部１２６の溜水並びに汚物を支障なく洗浄水落下通路１２７に溢れ出すことができる。
【００５６】
以上、本発明が実施される形態を説明したが、本発明はこうした実施例に何等限定されるものではなく、本発明の要旨を逸脱しない範囲内において種々なる様態で実施し得ることは勿論である。
【００５７】
例えば、上記実施例では、リム給水管１４３並びにリム噴出ノズル１４４を一組有するよう構成したが、次のように変形することができる。図１２は変形例の便器１１０Ｄを説明する説明図である。この便器１１０Ｄは、ボール部上縁、即ちリム部１２１の基部に、上下のリム噴出ノズル１４４を有する。このリム噴出ノズル１４４には、バルブユニット１１５からそれぞれリム給水管１４３が接続されている。この場合、それぞれのリム噴出ノズル１４４からの洗浄水噴出に備え、案内凹部１２４ａは幅広とされている。そして、バルブユニット１１５は、それぞれのリム噴出ノズル１４４から同時に洗浄水を噴出するよう、弁制御を行う。こうすれば、幅広の状態で洗浄水の旋回流が起き、旋回流がボール面表面と接触する機会が増えるので、高い洗浄能力を発揮できる。
【００５８】
また、上記の変形例のように複数のリム噴出ノズル１４４を設置するに当たり、次のようにすることもできる。即ち、ボール部後方において、図３のように一方のリム噴出ノズル１４４を左方に設け、他方を右方に設けるようにすることもできる。この際、左右のリム噴出ノズル１４４を、その上下位置がずれるようにすると、左右のノズルから同時に洗浄水を噴出する場合には、時計回りの旋回洗浄水と反時計回りの旋回洗浄水の不用意な衝突を起こさないようにでき、好ましい。
【００５９】
また、本発明をサイホンゼット式の便器１１０やサイホン便器或いは洗い落とし式便器に適用した場合を例として説明したが、上記の便器と他の装置や部材との組み合わせた発明として把握することもできる。例えば、局部洗浄や暖房等の諸機能を実現する機能便座と組み合わせた衛生洗浄装置、収納用キャビネットや手洗装置と組み合わせたトイレキット装置、トイレ室内の構造体としての壁材，床材および天井材等を組み合わせたシステムトイレ装置等に適用することもできる。
【産業上の利用可能性】
【００６０】
本発明の水洗便器は、一般家庭は勿論のことホテル、公共施設などの水洗便器として使用できる。
【図面の簡単な説明】
【００６１】
【図１】本発明の実施例であるサイホンゼット式の便器１１０をその上面の一部を破断して示す説明図である。
【図２】この便器１１０の概略縦断面を図１の２−２線の折れ線に沿って示す説明図である。
【図３】図１における３−３線概略断面図である。
【図４】リム給水管１４３の管路構成とその固定の様子を説明するための説明図である。
【図５】図４における５−５線断面図である。
【図６】リムショット洗浄水の挙動を説明するための説明図である。
【図７】凹部１２６の溜水挙動を説明するために凹部１２６周辺を模式的に表した説明図である。
【図８】第２実施例の便器１１０Ａをその上面の一部を破断して示す説明図である。
【図９】この便器１１０Ａの概略縦断面を図８の９−９線の折れ線に沿って示す説明図である。
【図１０】第３実施例の便器１１０Ｂをその上面の一部を破断して示す説明図である。
【図１１】第４実施例の便器１１０Ｃの概略縦断面を示す説明図である。
【図１２】変形例の便器１１０Ｄを説明する説明図である。
【符号の説明】
【００６２】
１６…洗浄ボタン
１７…蓋
１１０，１１０Ａ〜１１０Ｄ…便器
１１２…隆起部
１１２ａ…底部開口
１１５…バルブユニット
１１６…一次側給水管
１２０…ボール部
１２０ａ…貫通孔
１２１…リム部
１２１ａ…リム通水路
１２１ｂ…リム吐水孔
１２１ｃ…貫通孔
１２２…ゼット噴出口
１２３…覆水面
１２４…露出面
１２４ａ…案内凹部
１２５…排出口
１２６…凹部
１２７…洗浄水落下通路
１３０…サイホントラップ管路
１３１…接続路
１３２…上昇路
１３３…下降路
１４３…リム給水管
１４３ａ…バルブ側管路部
１４３ｂ…ボール側管路部
１４３ｃ…屈曲管路部
１４３ｄ…整流板
１４３ｅ…鍔部
１４３ｆ…シール部材
１４４…リム噴出ノズル
１４６…ゼット給水管
１５０…第２リム給水管
１５１…ブッシュ
１７０…排水ソケット
１９０…排水立ち上げ管
ＢＳ…ボール部噴出洗浄水
ＲＳ…リムショット洗浄水
ＲＷ…溜水
【図１】
0003678247.tif 000002
【図２】
0003678247.tif 000003
【図３】
0003678247.tif 000004
【図４】
0003678247.tif 000005
【図５】
0003678247.tif 000006
【図６】
0003678247.tif 000007
【図７】
0003678247.tif 000008
【図８】
0003678247.tif 000009
【図９】
0003678247.tif 000010
【図１０】
0003678247.tif 000011
【図１１】
0003678247.tif 000012
【図１２】
0003678247.tif 000013